(57)【要約】【課題】単独でコンテンツを受信することができない場合でも、受信を可能にするための対応が取れるようにした放送受信装置を提供する。【解決手段】インターネット２に接続されたホームネットワーク（ホームネットワーク）４には、インターネット対応ＴＶ５及びネットワーク受信機６，７が接続されている。インターネット対応ＴＶ５は、インターネット２からテレビ放送の配信を受けることができるが、配信希望の番組をサポートしていないとき、視聴不可のメッセージとともに、視聴を可能にする方法を表示部に表示する。ユーザーは、その表示を参照して、ネットワーク受信機６に受信を代行させる対策をとることができ、具体的には、ネットワーク受信機６を経由した視聴、またはネットワーク受信機６に録画を行わせることができる。【選択図】図１
2008005445.tif 000002
【特許請求の範囲】
【請求項１】
ホームネットワークを介してインターネットに接続されたインターフェースと、
前記インターフェースを介して前記インターネットから配信されたコンテンツを受信して表示部に表示する制御手段を備え、
前記制御手段は、前記視聴対象のコンテンツを受信可能なプロトコルを有しているか否かを判断し、前記コンテンツを受信するプロトコルを有していないとき、受信要請情報を前記ホームネットワークに出力することを特徴とする放送受信装置。
【請求項２】
前記制御手段は、前記受信要請情報を出力するとともに、前記ホームネットワークに接続されているネットワーク受信機に付随する情報を表示部に表示することを特徴とする請求項１に記載の放送受信装置。
【請求項３】
前記制御手段は、前記ネットワーク受信機から前記コンテンツの視聴の可否を受信して前記表示部に表示することを特徴とする請求項２に記載の放送受信装置。
【請求項４】
前記制御手段は、前記プロトコルを有していないとき、前記ネットワーク受信機を選択し、前記選択したネットワーク受信機に受信処理を代行させることを特徴とする請求項３に記載の放送受信装置。
【請求項５】
前記制御手段は、前記ネットワーク受信機に対して視聴の処理及び録画の処理を指定する表示項目を含むことを特徴とする請求項４に記載の放送受信装置。
【請求項６】
前記制御手段は、前記インターネットから配信を受けたいコンテンツに関する接続情報を前記ネットワーク受信機に提供することを特徴とする請求項４に記載の放送受信装置。
【請求項７】
前記制御手段は、前記ネットワーク受信機への接続情報、ユーザー年齢制限情報、有料番組に対する料金制限情報及び接続先の制限情報の少なくとも１つを前記ホームネットワークに接続されたネットワーク受信機に提供することを特徴とする請求項４に記載の放送受信装置。
【請求項８】
前記ネットワーク受信機は、パーソナルコンピュータまたはＨＤ／ＤＶＤレコーダであることを特徴とする請求項２に記載の放送受信装置。
【発明の詳細な説明】
【技術分野】
【０００１】
本発明は、電波によるテレビジョン（以下、「テレビ」または「ＴＶ」という）放送の受信機能のほか、インターネットに接続して動画放送を受信することが可能な放送受信装置に関する。
【背景技術】
【０００２】
ブロードバンドの普及に伴い、動画のダウンロードが可能になり、インターネットに接続されたパーソナルコンピュータに対する動画配信のサービスも開始されている。
【０００３】
一方、電波によるテレビ放送も地上波デジタル放送の開始にともない、テレビ受信機のデジタル化が進んでおり、単にテレビ放送を受信するだけでなく、インターネットに接続する機能を備え、ブロードバンド放送のサービスを受けられる放送受信装置が提案されている。
【０００４】
例えば、特許文献１に示されるように、モデム／ＬＡＮ、トランスポート処理部、ＭＰＥＧ映像／音声デコーダ、表示制御処理部等を備えて、コンテンツのダウンロードを可能にし、ダウンロードしたコンテンツをディスプレイで視聴できるようにした放送受信装置が知られている。
【０００５】
この放送受信装置では受信部による受信により番組情報を取得し、番組情報からコンテンツ毎に受信側に蓄積機能が要求されているか否かを検出部で検出し、要求されている蓄積機能を備えているか否かを判定し、この蓄積機能の要求の有無及び上記要求されている蓄積機能の有無を表示部に表示し、コンテンツのダウンロードが可能か否かをユーザーが把握できるようになっている。
【特許文献１】特開２００５−１９１９５０号公報
【発明の開示】
【発明が解決しようとする課題】
【０００６】
しかし、従来の放送受信装置によると、放送受信装置に内蔵のＣＰＵの能力、メモリ容量、セキュリティ機能、圧縮方式等が相違し、或いは対応していない等のために、一部のブロードバンド放送を視聴（受信）できないことがある。
【０００７】
従って、本発明の目的は、単独でコンテンツを受信することができない場合でも、受信を可能にするための対応が取れるようにした放送受信装置を提供することにある。
【課題を解決するための手段】
【０００８】
本発明は、上記目的を達成するため、ホームネットワークを介してインターネットに接続されたインターフェースと、前記インターフェースを介して前記インターネットから配信されたコンテンツを受信して表示部に表示する制御手段を備え、前記制御手段は、前記視聴対象のコンテンツを受信可能なプロトコルを有しているか否かを判断し、前記コンテンツを受信するプロトコルを有していないとき、受信要請情報を前記ホームネットワークに出力することを特徴とする放送受信装置を提供する。
【発明の効果】
【０００９】
本発明の放送受信装置によれば、単独でコンテンツを受信することができない場合でも、受信を可能にするための対応を取れるようにすることができる。
【発明を実施するための最良の形態】
【００１０】
（テレビ受信システムの構成）
図１は、本発明の実施の形態に係るテレビ（ＴＶ）受信システムの概略を示す。このテレビ受信システム１はネットワーク対応であり、インターネット２に、ホームネットワークルータ３及びホームネットワーク４を介して接続された放送受信装置としてのネットワーク対応ＴＶ５と、ネットワーク受信機６，７を備えて構成されている。
【００１１】
ネットワーク対応ＴＶ５は、例えば、居間等に設置され、ネットワーク受信機６，７は、ネットワーク対応ＴＶ５が設置された家屋内の個室等に設置されている。
【００１２】
ホームネットワーク４は、１つの家屋内等に布線されたイーサネット（登録商標）（Ethernet（登録商標））であり、ホームネットワークルータ３に接続された専用回線である。
【００１３】
ホームネットワークルータ３は、ホームネットワーク４とインターネット２を接続するブリッジとして機能しており、ホームネットワーク４側で消費されるパケットとインターネット２へ送出されるパケットとの切り分けができるように構成されており、更に、ホームネットワーク４に接続されたネットワーク受信機６，７等の機器のアドレス管理機能や、インターネット２からの不正アクセスを防御するための機能も備えている。
【００１４】
ネットワーク対応ＴＶ５は、アンテナ及びチューナ（いずれも図示せず）を介しての電波による放送受信が行える構成を有すると共に、インターネット２上からコンテンツの配信を受けて画面に表示（視聴）することができるものであり、例えば、居間や応接室に設置されている。更に、ネットワーク対応ＴＶ５は、ワイヤレスでネットワーク対応ＴＶ５を遠隔操作するための専用のリモートコントローラ（以下、「リモコン」という）８を備えている。
【００１５】
ネットワーク受信機６，７は、ＨＤＤ／ＤＶＤレコーダ、パーソナルコンピュータ、及びインターネットプロトコルを使用したセットトップボックスであるＩＰ−ＳＴＢ等であり、ホームネットワークルータ３及びＬＡＮ４を介してインターネット２に単独で接続できると共に、ネットワーク対応ＴＶ５と通信を行えるように構成されている。なお、図１においては、ネットワーク受信機６，７としてパソコンを示しているが、キーボード、マウス、及びディスプレイの図示を省略している。
【００１６】
更に、ネットワーク受信機６，７は、ネットワーク対応ＴＶ５が対応できない番組を受信できるように、様々な番組提供サイトが要求する著作権保護方式、番組データの圧縮方式の殆どに対応できるように構成されている。
【００１７】
（ネットワーク対応ＴＶ及びネットワーク受信機の構成）
図２は、ネットワーク対応ＴＶ５及びネットワーク受信機６の詳細構成を示す。ネットワーク対応ＴＶ５は、制御手段としてのシステムコントローラ５０、メモリ５１、ネットワークセキュリティコントローラ５２、コンテンツセキュリティコントローラ５３、グラフィックエンジン５４、ネットワークインターフェース（ＮＷ Ｉ／Ｆ）５５、デクリプタ５６、オーディオ／ビデオ（Ａ／Ｖ）デコーダ５７、液晶ディスプレイ、プラズマディスプレイ等による表示部５８、及び音響を出力するスピーカ５９を備えて構成されている。
【００１８】
システムコントローラ５０は、ＣＰＵ、ＲＯＭ等を備えて構成され、該ＲＯＭに格納されたプログラムに従ってネットワーク対応ＴＶ５における全体の統括・管理を行うと共に、リモコン８の操作内容に基づいて、番組の選択、音量制御、セットアップ制御等を実行する回路構成を有している。
【００１９】
メモリ５１は、半導体メモリにより構成されており、プログラムが格納された不揮発正メモリ（ＲＯＭ）と、データを格納する揮発性メモリとを備えている。
【００２０】
ネットワークセキュリティコントローラ５２は、ホームネットワーク４から配信されるコンテンツ向けであり、類似の著作権保護のための機器認証機能を備えている。
【００２１】
コンテンツセキュリティコントローラ５３は、インターネット２からのコンテンツに対して著作権保護機器認証を実行する機能を有している。
【００２２】
グラフィックエンジン５４は、ホームネットワーク４からのコンテンツのデジタルデータを表示部５８に表示するための表示処理回路である。
【００２３】
ＮＷ Ｉ／Ｆ５５は、ホームネットワーク４からのパケットに対しては物理層／リンク層で処理を行い、映像・音声のデータをデクリプタ５６へ送る回路構成を有している。
【００２４】
デクリプタ５６は、暗号化されているコンテンツのオーディオ／ビデオデータを解読して、Ａ／Ｖデコーダ５７で再生できるように構成されている。
【００２５】
Ａ／Ｖデコーダ５７は、地上波デジタル放送等の映像信号及び音声信号をデコードして表示部５８及びスピーカ５９を駆動するように構成されている。
【００２６】
次に、ネットワーク受信機の構成について説明する。ネットワーク受信機６とネットワーク受信機７は同様の構成であるので、ここではネットワーク受信機６の構成について説明する。なお、ネットワーク受信機６，７は、同一機能を有する構成でもよいが、一方で受信できないときに他方を利用できるように、異なる著作権保護機構やトランスコード機能を有していることが望ましい。
【００２７】
ネットワーク受信機６は、ハードディスクドライブ等の録画ドライブを装備したＰＶＲ（Personal Video Recorder）型のネットワーク受信機として機能しており、システムコントローラ６１、メモリ６２、ネットワークセキュリティマネージャー６３、コンテンツセキュリティコントローラ６４、ＮＷ Ｉ／Ｆ６５、ストリームコントローラ６６、トランスコーダ６７、記録デバイス６８、デクリプタ６９及びエンクリプタ７０を備えて構成されている。
【００２８】
システムコントローラ６１は、ＣＰＵ、ＲＯＭ等を備えて構成され、該ＲＯＭに格納されたプログラムに従ってネットワーク受信機６における全体の統括・管理を実行する機能を備えており、インターネット２からの番組受信に際して必要な情報交換処理や、インターネット対応ＴＶ５との通信処理のハンドリング等を実行する。
【００２９】
メモリ６２は、半導体メモリにより構成されており、プログラムが格納された不揮発正メモリ（ＲＯＭ）と、データを格納する揮発性メモリとを備えている。
【００３０】
ネットワークセキュリティマネージャー６３は、ホームネットワーク４から配信されるコンテンツ向けであり、配信先が許可された受信機器であるか否かを判定する機能を備えている。
【００３１】
コンテンツセキュリティコントローラ６４は、ネットワーク対応ＴＶ５に内蔵のコンテンツセキュリティコントローラ５３と類似の機能を有すると共に、サポートされていない他種の著作権保護機能を備えている。例えば、コンテンツセキュリティコントローラ５３がＡ社の方式をサポートしている場合、コンテンツセキュリティコントローラ６４はＢ社、Ｃ社の方式をサポートしている。なお、コンテンツセキュリティコントローラ６４が、更に、上記Ａ社の方式をサポートする構成であってもよい。
【００３２】
ＮＷ Ｉ／Ｆ６５は、ＮＷ Ｉ／Ｆ５５と同様の構成であり、ホームネットワーク４からのパケットに対しては物理層／リンク層で処理を行い、映像・音声のデータはデクリプタ６９へ送る回路構成を有している。
【００３３】
ストリームコントローラ６６は、ホームネットワーク４と記録デバイス６８側との間の入出力データの流れを制御する回路構成を有している。
【００３４】
トランスコーダ６７は、解読されたオーディオ／ビデオのストリームの圧縮方式を切り替える機能を備えている。一般に、現在のＴＶは、ＭＰＥＧ（Mpeg audio）−２のデコード機能を持っているが、パソコンの場合、ＭＰＥＧ−２以外に、ＭＰＥＧ−１、ＭＰＥＧ−４、Ｒｅａｌ Ｎｅｔｗｏｒｋなど多品種の映像・音声圧縮方式が存在し、インターネット上ではサービスプロバイダが個々に最適な方式を選択している状況にある。ＴＶでこれらの映像を視聴する場合、何らかの形で、その圧縮映像をＴＶで受信可能な形態に変換する必要がある。この変換を行うのがトランスコーダ６７である。
【００３５】
記録デバイス６８は、インターネット２からダウンロードした放送を録画する記憶するための媒体であり、例えば、ハードディスク（ＨＤ）、ＤＶＤ（Digital Versatile Disc）等が用いられる。
【００３６】
デクリプタ６９は、インターネット２から送られてきたコンテンツにかけられている暗号を解読する機能を備えており、ネットワーク対応ＴＶ５が対応していない著作権保護にも対応できるように構成されている。
【００３７】
エンクリプタ７０は、ホームネットワーク４へオーディオ／ビデオデータを配信する際に使われもので、例えば、ＤＴＣＰ（Digital Transmission Contents Protection） ｏｖｅｒ ＩＰ（Internet Protocol）を適応する場合にはＡＥＳ（Advanced Encryption Standard）方式により構成される。
【００３８】
（テレビ受信システムの動作）
次に、テレビ受信システム１の動作について説明する。図３は、テレビ受信システム１の処理を示す。また、図４は、インターネット対応ＴＶ５で視聴ができない時に表示部５８に表示されるメッセージを示す。なお、図３に示す処理は、図２のシステムコントローラ５０，６１によって実行される。
【００３９】
インターネット対応ＴＶ５によりインターネット２からコンテンツ、例えば、放送の配信を受ける場合、ユーザーはインターネット対応ＴＶ５の操作ボタンまたはリモコン８を操作して、インターネット２にインターネット対応ＴＶ５を接続する。インターネット対応ＴＶ５は、システムコントローラ５０がＮＷ Ｉ／Ｆ５５、ホームネットワーク４及びホームネットワークルータ３を介してインターネット２に接続し、Ｗｅｂ等を閲覧する。
【００４０】
ユーザーは、インターネット対応ＴＶ５でインターネット２を閲覧中に、視聴したい番組が見つかると、その視聴要求をリモコン８を使ってインターネット対応ＴＶ５へ送信する（Ｓ１０１）。リモコン８からの指示を受信したインターネット対応ＴＶ５は、インターネット２の番組提供サイトにアクセスを開始し、視聴に必要なインターネット対応ＴＶ５の受信能力条件を収集する（Ｓ１０２）。
【００４１】
インターネット対応ＴＶ５は、上記受信能力条件から自機に装備された機能により番組の受信が可能か否かを判断する（Ｓ１０３）。本実施の形態では、特に、番組提供サイトが要求する著作権保護方式、番組データの圧縮方式、受信機に求められる能力（例えば、ＣＰＵ速度、メモリ空間）等の条件を重視する。インターネット対応ＴＶ５により単独で受信可能であれば（Ｓ１０３：ＯＫ）、そのまま視聴を開始する（１０４）。
【００４２】
インターネット２からインターネット対応ＴＶ５へ送られてきたコンテンツは、ＮＷＩ／Ｆ５５に取り込まれる。ＮＷ Ｉ／Ｆ５５は、物理層・リンク層による処理を行い、映像・音声に関するデータはデクリプタ５６へ送出し、ユーザーからの制御情報や各種管理情報等はシステムコントローラ５０へ送出する。
【００４３】
システムコントローラ５０は、インターネット２からのコンテンツを視聴用機器認証のためのコンテンツセキュリティコントローラ５３及びデクリプタ５６を動作させ、暗号化された映像・音声を解読して、グラフィックエンジン５４及びＡ／Ｖデコーダ５７へデータを出力する。
【００４４】
グラフィックエンジン５４は、映像信号を表示部５８に出力し、また、Ａ／Ｖデコーダ５７は、音声信号をデコードし、デコードしたデータによりスピーカ５９を駆動する。なお、Ｗｅｂブラウザ以外の画像信号は、Ａ／Ｖデコーダ５７で処理し、この処理結果に基づいて表示部５８を動作させる。
【００４５】
一方、インターネット対応ＴＶ５のみによる受信が不可能な場合（Ｓ１０３：ＮＧ）、システムコントローラ５０は、視聴不可をユーザーに認知させるため、表示部５８のディスプレイの画面４０に、図４に示す様なメッセージ４１を受信負荷不可能情報として表示する（Ｓ１０５）。ユーザーは、リモコン８でメッセージ４１内の選定ボタン４２を選択することにより、ネットワーク受信機６，７に支援をさせるか否かを決めることができる（Ｓ１０６）。なお、ネットワーク受信機６，７に支援をさせない場合（Ｓ１０６：Ｎｏ）、視聴を中止する（Ｓ１１０）。次に、ネットワーク受信機６，７の支援を要求する場合（Ｓ１０６：Ｙｅｓ）、その指示がインターネット対応ＴＶ５に出されると、視聴条件の設定（セットアップ）の有無を判定する（Ｓ１０７）。視聴条件未設定の場合（Ｓ１０７：Ｙｅｓ）、ユーザーは、リモコン８を操作して視聴条件の設定を行う（Ｓ１０８）。以下に、セットアップについて説明する。また、視聴条件が設定済みの場合、ステップＳ１０９へ移行する。
【００４６】
図５は、ネットワーク受信機等の機器のセットアップの内容を示す。セットアップは、受信の援助を希望するネットワーク受信機等の機器の登録と受信条件設定に大別される。受信条件設定は、インターネット対応ＴＶ５が直接に視聴し、或いはネットワーク受信機等の機器に支援を依頼する場合の条件である。
【００４７】
受信条件として、未成年者にコンテンツを見せなくする年齢制限、Ｗｅｂサイト登録、視聴が有料である場合の料金制限（例えば、有料番組のための月当たりの支払い限度総額、有料番組一件当たりの支払い限度額）、パスワードのセットアップ及び受信フォーマットの設定等がある。インターネット対応ＴＶ５が、インターネット２から直接視聴する場合にも、上記受信条件は視聴可否判断材料としてインターネット対応ＴＶ５で利用するが、ネットワーク受信機等の機器が受信を開始する際にも、番組供給サイトとの接続のために必要になる。この場合、例えば、インターネット対応ＴＶ５がホームネットワーク４へ支援を依頼発行する際に、インターネット対応ＴＶ５が所有する受信能力情報を転送するプロセスで送信される。
【００４８】
図６は、ネットワーク機器登録の登録画面の一例を示す。ネットワーク機器（具体的にはネットワーク受信機６，７）の登録は、予め支援を依頼すべき相手を登録することで手続きを手早く行うためと、むやみにパケットの伝送を行うことを避けて、ネットワーク２上のセキュリティを高める目的で設定する。なお、図３では、支援を行うか否かの段階でセットアップを行うものとしたが、例えば、インターネット対応ＴＶ５の購入時や設置時に行ってもよい。また、セットアップは、通常、ホームネットワークシステムの構築時等の最初の１回のみでよい。
【００４９】
最初に、ネットワーク受信機６，７を含むホームネットワーク４に接続されている機器を検索して図６に示す登録画面６０を表示する。検索能力にもよるが、ネットワーク２上には必ずしも番組を受信できる機能を装備した機器だけが接続されているわけではない。そこで、表示された接続済みの機器の中で、ユーザーが支援を望む機器を登録する。当然登録すべき機器は、何らかの番組受信機能を備えているべきであり、この実態を確認するために受信条件を表示させる。
【００５０】
図６においては、ネットワーク機器名６０ａとして、「ＩＰ−ＳＴＢ」、「ＩＰ−ＰＶＲ」、ＰＣ Ｂｏｘ」、「Ｒｏｕｔｅｒ」、「ＬＡＮＨＤＤ」の５台が入力済みになっているが、上段の３つは未登録になっている。登録を行うか否かは登録切替えボタン６０ｂをクリックすることにより行える。この登録画面６０を閉じるには、画面内のクローズボタン６０ｄをクリックする。
【００５１】
図７は、ネットワーク機器の詳細情報を示す。この画面７１は、図６の登録画面６０の機器情報ボタン６０ｃをクリックしたときに表示される。画面７１には、転送速度、フォーマット、セキュリティの仕様等が表示される。画面７１を閉じるには、画面内のクローズボタン７１ａをクリックする。
【００５２】
図８は、受信フォーマット登録画面の一例を示す。受信フォーマット登録画面８０には、インターネット対応ＴＶ５がホームネットワーク４経由で受信できるオーディオ／ビデオのフォーマット及びインターネット対応ＴＶ５が受信できる著作権保護方式などを設定する。ここでは、ネットワークセキュリティとして、コピーガードのためのＤＴＣＰと公開鍵暗号化のためのＰＧＰ（Pretty Good Privacy）が用意（設定項目８２）され、圧縮されたビデオデータのデコード用にＭＰＥＧ−２がＨＤ（高精細度）及びＳＤ（標準解像度）に対応して用意（設定項目８３）され、更に、オーディオのデコード用にＭＰ３及びＡＡＣ（Advanced Audio Coding）が用意（設定項目８４）されている。
【００５３】
更に、機器制御のための通信プロトコル、例えば、ＤＬＮＡ（Digital Living Network Alliance）、ＵｐｎＰ（Universal Plug and Play）等を設定することもできる。これらインターネット対応ＴＶ５側の設定情報も上記受信能力情報の一部として、例えば、ネットワーク受信機６に支援を依頼する際に転送される。受信フォーマット登録画面８０を閉じるには、画面内のクローズボタン８１をクリックする。
【００５４】
上記したセットアップが終了すると、ユーザーは、リモコン８を操作してインターネット対応ＴＶ５からホームネットワーク４へ視聴条件及びユーザーが受信を希望している番組提供サイトの接続先情報を送信する（Ｓ１０９）。
【００５５】
ネットワーク受信機６では、受信した情報に基づいて視聴希望番組を受信できるか否かの判断と、更に、受信した番組をホームネットワーク４を経由してインターネット対応ＴＶ５へ配信できるかの判断をシステムコントローラ６１によって行い（Ｓ１１０）、その判断結果をインターネット対応ＴＶ５に通知する。
【００５６】
インターネット対応ＴＶ５は、ネットワーク受信機６からの分析結果を受信して検索結果（ネットワーク受信機６に付随する情報）を表示部５８の画面に表示する（Ｓ１１２）。なお、ネットワーク受信機６が視聴希望番組を受信できないことが判明したとき（Ｓ１１０：Ｎｏ）、視聴を中止する（Ｓ１１１）。
【００５７】
図９は、検索結果に対するインターネット対応ＴＶの表示画面を示す。この表示画面９０は、ネットワーク受信機６が「ＩＰ−ＰＶＲ」の機種であり、録画機能を装備し、視聴のほかに録画も可能なことが示されている。ユーザーは、この表示内容から好みの受信機とスタイルを選んで視聴を開始する（Ｓ１１３）。
【００５８】
ユーザーは、図９の表示画面９０において、機種名９１のうち、「ＩＰ−ＰＶＲ」の録画ボタン９２を選択し、更に画面サイズ選択ボタン９４によりＳＤまたはＨＤのいずれかを選択し、スタートボタン９５をクリックすると（Ｓ１１４：録画）、ネットワーク受信機６による録画が開始される（Ｓ１１５）。この場合、ネットワーク受信機６は、ＮＷＩ／Ｆ６５を通してインターネット２からのコンテンツを受信し、システムコントローラ６１、ストリームコントローラ６６及びトランスコーダ６７を動作させると共に、デクリプタ６９で暗号解読を行った後、データを記録デバイス６８に格納する。記録デバイス６８に保存された放送データは、消去しない限り、いつでもインターネット対応ＴＶ５からアクセスして読み出して表示部５８に表示することができる。
【００５９】
また、図９の表示画面９０において、機種「ＩＰ−ＰＶＲ」９１の視聴ボタン９３をクリックされた場合（Ｓ１１４：視聴）、ネットワーク受信機６は視聴の処理を開始する（Ｓ１１６）。システムコントローラ６１は、インターネット２からのコンテンツを受信し、システムコントローラ６１、ストリームコントローラ６６及びトランスコーダ６７の制御のもとにデクリプタ６９で暗号解読を行った後、インターネット対応ＴＶ５が表示処理可能なデータ形式に変換する。
【００６０】
エンクリプタ７０は、インターネット対応ＴＶ５がネットワークセキュリティマネージャー６３により配信先が許可された機器であることを確認すると、トランスコーダ６７で処理されたコンテンツのオーディオ／ビデオデータをＮＷＩ／Ｆ６５を介してホームネットワーク４へ送出する。このデータはインターネット対応ＴＶ５によって受信され、インターネット対応ＴＶ５が単独でコンテンツを受信するときと同様に処理して、表示部５８に表示する。従って、インターネット対応ＴＶ５は、ネットワーク受信機６に支援されながらインターネット２からのコンテンツを間接的に視聴することができる。
【００６１】
（実施の形態の効果）
本実施の形態によれば、下記の効果を奏する。
（イ）インターネット対応ＴＶ５が、インターネット２からコンテンツを受信可能か否かを判断し、コンテンツを受信するプロトコルを有していないとき、受信できない旨及びネットワーク受信機６，７の利用の可能性を表示部５８に表示できるようにしたので、インターネット対応ＴＶ５のユーザーは、視聴や録画に向けた対応をとることができる。
（ロ）パソコン等によるネットワーク受信機を必要に応じて支援機として利用できるため、インターネット対応ＴＶ５の受信能力に限定されることなく、幅広い番組の視聴がインターネット対応ＴＶ５において可能になる。
（ハ）ネットワーク受信機６が比較的大容量の記憶媒体を備えるパソコン等である場合、ネットワーク受信機６に録画を任せることができるので、インターネット対応ＴＶ５が録画用の記憶媒体を備えていない場合でも、録画が可能になる。
【００６２】
［他の実施の形態］
なお、本発明は、上記各実施の形態に限定されず、本発明の技術思想を逸脱あるいは変更しない範囲内で種々な変形が可能である。
以下、本実施例は、イーサネット（登録商標）によるＩＰ接続を前提として説明するが、本発明はイーサネット（登録商標）によるＩＰ接続以外のネットワークでも適応可能であることはいうまでもない。
【図面の簡単な説明】
【００６３】
【図１】本発明の実施の形態に係るテレビ受信システムの概略を示す接続図である。
【図２】ネットワーク対応ＴＶ及びネットワーク受信機の詳細構成を示すブロック図である。
【図３】テレビ受信システムの処理を示すフローチャートである。
【図４】インターネット対応ＴＶで視聴ができない時に表示部に表示されるメッセージを示す画面図である。
【図５】ネットワーク受信機等の機器のセットアップの内容を示す説明図である。
【図６】ネットワーク機器登録の登録画面の一例を示す画面図である。
【図７】ネットワーク機器の詳細情報を示す画面図である。
【図８】受信フォーマット登録画面の一例を示す画面図である。
【図９】インターネット対応ＴＶにおける表示画面を示す画面図である。
【符号の説明】
【００６４】
１  テレビ受信システム
２  インターネット
３  ホームネットワークルータ
６，７  ネットワーク受信機
４０  画面
４１  メッセージ
５０  システムコントローラ
５１  メモリ
５４  グラフィックエンジン
５７  Ａ／Ｖ（オーディオ／ビデオ）デコーダ
５８  表示部
５９  スピーカ
６０  登録画面
６１  システムコントローラ
６８  記録デバイス
９０  表示画面
９２  録画ボタン
９３  視聴ボタン
【図１】
2008005445.tif 000003
【図２】
2008005445.tif 000004
【図３】
2008005445.tif 000005
【図４】
2008005445.tif 000006
【図５】
2008005445.tif 000007
【図６】
2008005445.tif 000008
【図７】
2008005445.tif 000009
【図８】
2008005445.tif 000010
【図９】
2008005445.tif 000011